(57)【要約】      （修正有）【課題】内側編地と外側編地とが重なる開口部を編成のみで形成することで複雑な縫製を無くし、縫製部のゴロツキ感を無くすとともにかかる開口部を有する編成編地を安価に提供する。【解決手段】横編機を用い、内側編地編成工程と外側編地編成工程とで互いに逆方向の引き返し編みを行うとともに、前後のニードルベッドの前後に重なる範囲で給糸を行い、内側編地編成工程から外側編地編成工程へ移る際は、当該内側編地編成工程で形成されたループを全て前後の一方のニードルベッドに掛止した状態にするとともに、外側編地編成工程から内側編地編成工程へ移る際は、当該外側編地編成工程で形成されたループを全て他方のニードルベッドに掛止した状態にすることで、内側編地１１と外側編地１２とを内外方向に分離可能に編成する。【選択図】図１
2014040687.tif 000002
【特許請求の範囲】
【請求項１】
編針を進退摺動可能に収納したニードルベッドを少なくとも前後に一対備え、前後のニードルベッドの針間で目移し可能に構成された横編機を用い、前後に分離した内側編地と外側編地とを有する開口部を備えた編成物を編成する編成方法であって、
ニードルベッドの長手方向の一方向から他方向へ引き返すようにして編針に編糸を給糸することで開口部の内側編地を編成する内側編地編成工程と、
前記他方向から一方向へ引き返すようにして編針に編糸を給糸することで開口部の外側編地を編成する外側編地編成工程と、を有し、
内側編地編成工程と外側編地編成工程とで前後のニードルベッドの前後に重なる範囲で給糸を行い、
内側編地編成工程から外側編地編成工程へ移る際は、当該内側編地編成工程で形成されたループを全て前後の一方のニードルベッドに掛止した状態にするとともに、外側編地編成工程から内側編地編成工程へ移る際は、当該外側編地編成工程で形成されたループを全て他方のニードルベッドに掛止した状態にすることで、内側編地と外側編地とを内外方向に分離可能に編成することを特徴とする開口部付き編成物の編成方法。
【請求項２】
内側編地編成工程及び外側編地編成工程において、給糸を行う少なくとも一部の範囲で、前後のニードルベッド間で編糸を掛止する編針が前後に対向しないよう空針を設けながら給糸を行い、当該空針を利用して前後のニードルベッドの編針間で交互に目移しすることにより、前記内側編地及び／又は外側編地の少なくとも一部をガーター編みに編成する請求項１に記載の開口部付き編成物の編成方法。
【請求項３】
内側編地編成工程及び外側編地編成工程において、前後のニードルベッド間で給糸する編針が前後に重ならないよう空針を設けておき、内側編地編成工程と外側編地編成工程の間及び外側編地編成工程と内側編地編成工程の間ごとに、当該空針を利用して一方のニードルベッドの編針に形成されたループを他方のニードルベッドの編針に移した状態で、一方のニードルベッドを用いて、外側編地の端部の逆側部分及び内側編地の端部の逆側部分をコース方向に連結する連結部を１コースずつ周回方向を変えながら編成することで開口部を有する筒状の編地を編成する請求項１又は請求項２に記載の開口部付き編成物の編成方法。
【請求項４】
内側編地と外側編地とを備え、
前記内側編地及び前記外側編地は、引き返し編みにより互いにコース方向の逆向きに設けられた端部を有するとともに、内外方向に分離可能に重ね合わされている開口部付き編成物。
【請求項５】
前記内側編地、及び／又は外側編地の少なくとも一部がガーター編みに形成されている請求項４に記載の開口部付き編成物。
【請求項６】
前記内側編地の端部の逆側部分と前記外側編地の端部の逆側部分とをコース方向に連結する連結部を備え、前記内側編地、前記連結部及び前記外側編地で筒状をなす請求項４又は請求項５に記載の開口部付き編成物。
【発明の詳細な説明】
【技術分野】
【０００１】
この発明は、ニットパンツの前開き部やカーディガンのポケット等の開口部を有する編成物の編成方法及び開口部を有する編成物に関する。
【背景技術】
【０００２】
従来、ニットパンツやカーディガン等のニット製品は、シート状に編成した編成編地を裁断した各部パーツを各種ミシンによって縫製して形成している。一般に、編成編地を裁断・縫製することによりニット製品を形成することは、編成のみにより形成する場合に比べて手間がかかる上に縫製部のゴロツキ感によりニット製品の着心地が悪くなるため、縫製個所を減じる編成方法が種々提案されている（例えば、特許文献１参照）。
【０００３】
特に、紳士用パンツの前開き部やカーディガンのポケット部等のように内側編地と外側編地とが重なる開口部を設けるためには、縫製方法が複雑なためコスト高となる要因となっており、縫製によらずにかかる開口部を形成可能な編成方法が望まれている。
【先行技術文献】
【特許文献】
【０００４】
【特許文献１】特開２００５−３２５４６９号公報
【発明の概要】
【発明が解決しようとする課題】
【０００５】
本発明は、上記課題に鑑みてなされたものであり、内側編地と外側編地とが重なる開口部を編成のみで形成することで複雑な縫製を無くし、縫製部のゴロツキ感を無くすとともにかかる開口部を有する編成物を安価に提供することを目的とする。
【課題を解決するための手段】
【０００６】
上記課題を解決するためになされた発明は、編針を進退摺動可能に収納したニードルベッドを少なくとも前後に一対備え、前後のニードルベッドの針間で目移し可能に構成された横編機を用い、前後に分離した内側編地と外側編地とを有する開口部を備えた編成物を編成する開口部付き編成物の編成方法であって、ニードルベッドの長手方向の一方向から他方向へ引き返すようにして編針に編糸を給糸することで開口部の内側編地を編成する内側編地編成工程と、前記他方向から一方向へ引き返すようにして編針に編糸を給糸することで開口部の外側編地を編成する外側編地編成工程と、を有し、内側編地編成工程と外側編地編成工程とで前後のニードルベッドの前後に重なる範囲で給糸を行い、内側編地編成工程から外側編地編成工程へ移る際は、当該内側編地編成工程で形成されたループを全て前後の一方のニードルベッドに掛止した状態にするとともに、外側編地編成工程から内側編地編成工程へ移る際は、当該外側編地編成工程で形成されたループを全て他方のニードルベッドに掛止した状態にすることで、内側編地と外側編地とを内外方向に分離可能に編成することを特徴とする。
【０００７】
本発明に係る編成方法では、このように内側編地編成工程と外側編地編成工程とで給糸方向を逆に引き返すことで、内側編地と外側編地の端部が互いにコース方向の逆向きに形成されて、これらの端部間に開口部が形成される。また、内側編地編成工程と外側編地編成工程とで前後のニードルベッドの前後に重なる範囲で編糸を給糸することにより内側編地と外側編地とを前後に重ねることができる。そして、内側編地編成工程から外側編地編成工程へ移る際は、当該内側編地編成工程で形成されたループを全て一方のニードルベッドに掛止した状態にするとともに、外側編地編成工程から内側編地編成工程へ移る際は、当該外側編地編成工程で形成されたループを全て他方のニードルベッドに掛止した状態にすることで、前後一対のニードルベッドのみで、内側編地と外側編地とを前後に分離することが可能となる。
ここで、「ニードルベッドの長手方向の一方向から他方向へ引き返すようにして編針に編糸を給糸する」とは、前後いずれか１つのニードルベッド上に並んだ編針のみに給糸する場合と、前後両方のニードルベッドの編針に給糸する場合の両方を含むものとし、「他方向から一方向へ引き返すようにして編針に編糸を給糸する」についても同様とする。また、「内側編地編成工程で形成されたループを全て前後の一方のニードルベッドに掛止した状態にする」ために、一方のニードルベッドの編針に直接給糸して当該編針にループを形成してもよく、他方のニードルベッドの編針に給糸してループを形成したのち一方のニードルベッドの編針に当該ループを移してもよいものとする。「外側編地編成工程で形成されたループを全て他方のニードルベッドに掛止した状態にする」についても、同様とする。
【０００８】
本発明に係る開口部付き編成物の編成方法は、内側編地編成工程及び外側編地編成工程において、給糸を行う少なくとも一部の範囲で、前後のニードルベッド間で編糸を掛止する編針が前後に対向しないよう空針を設けながら給糸を行い、当該空針を利用して前後のニードルベッドの編針間で交互に目移しすることにより、前記内側編地及び／又は外側編地の少なくとも一部をガーター編みに編成することが好ましい。こうすることで、前後一対のニードルベッドだけで内側編地や外側編地にガーター編み部を設けることができ、さらに、開口部の編地にガーター編み部を設けることで編地が丸くなることを抑制できる。
【０００９】
本発明の開口部付き編成物の編成方法は、内側編地編成工程及び外側編地編成工程において、前後のニードルベッド間で給糸する編針が前後に重ならないよう空針を設けておき、内側編地編成工程と外側編地編成工程の間及び外側編地編成工程と内側編地編成工程の間ごとに、当該空針を利用して一方のニードルベッドの編針に形成されたループを他方のニードルベッドの編針に移した状態で、一方のニードルベッドを用いて、外側編地の端部の逆側部分及び内側編地の端部の逆側部分をコース方向に連結する連結部を１コースずつ周回方向を変えながら編成することで開口部を有する筒状の編地を編成してもよい。こうすることで、外側編地と内側編地と連結部とが前後に３重に重なる筒状の編成物を、前後一対のニードルベッドのみで編成できる。
【００１０】
本発明は、内側編地と外側編地とを備え、前記内側編地及び前記外側編地は、引き返し編みにより互いにコース方向の逆向きに設けられた端部を有するとともに、内外方向に分離可能に重ね合わされている開口部付き編成物を含む。このように内側編地と外側編地に重なり部分を有する開口部が編成のみで形成されていることで、編成物の縫製部分を減らして縫製部分によるゴロツキ感を抑制することができる。
【００１１】
また、本発明の開口部付き編成物は、前記内側編地、及び／又は外側編地の少なくとも一部がガーター編みに形成されていることが好ましい。このように外側編地や内側編地の少なくとも一部がガーター編みに形成されていることで、これらの編地が丸くなるのを抑制できる。
【００１２】
また、本発明の開口部付き編成物は、前記内側編地の端部の逆側部分と前記外側編地の端部の逆側部分とをコース方向に連結する連結部を備え、前記内側編地、前記連結部及び前記外側編地で筒状をなしてもよい。
【発明の効果】
【００１３】
以上説明したように、本発明に係る開口部付き編成物の編成方法及び開口部付き編成物によれば、縫製個所を減らして、縫製個所によるゴロツキ感を抑制でき、かつ低コストで開口部を形成することができる。
【図面の簡単な説明】
【００１４】
【図１】本発明に係る第１実施形態に係る紳士用パンツの全体正面図、（ｂ）開口部の他の例を示す要部正面図である。
【図２】本発明の第１実施形態に係る開口部付き編成物の（ａ）全体正面図、（ｂ）内側編地の正面図、（ｃ）外側編地の正面図、（ｄ）開口部の模式的断面図である。
【図３】図２に示した開口部付き編成物の編みだし裾リブの編成図である。
【図４】図２に示した開口部付き編成物の編みだし裾リブの編成図である。
【図５】図２に示した開口部付き編成物の肢部、下胴部及び上胴部の天竺編みの編成図である。
【図６】図２に示した開口部付き編成物の肢部、下胴部及び上胴部の天竺編みの編成図である。
【図７】図２に示した開口部付き編成物の開口部の内側編地の編成図である。
【図８】図２に示した開口部付き編成物の開口部の内側編地の編成図である。
【図９】図８に示した編成の後に行う目移しを示した目移し図である。
【図１０】本発明に係る開口部付き編成物における外側編地の編成図である。
【図１１】本発明に係る開口部付き編成物における外側編地の編成図である。
【図１２】図１１に示した編成の後に行う目移しを示した目移し図である。
【図１３】図２に示した開口部付き編成物の内側編地をリブ編成する編成図である。
【図１４】図２に示した開口部付き編成物の内側編地をリブ編成する編成図である。
【図１５】図１４に示した編成の後に行う目移しを示した目移し図である。
【図１６】図２に示した開口部付き編成物の外側編地をリブ編成する編成図である。
【図１７】図２に示した開口部付き編成物の外側編地をリブ編成する編成図である。
【図１８】図１７に示した編成の後に行う目移しを示した目移し図である。
【図１９】図２の開口部付き編成物の下胴部と開口部の接合部の一例を示す編成図である。
【図２０】図２の開口部付き編成物の下胴部と開口部の接合部の他の例を示す編成図である。
【図２１】図２の開口部付き編成物の下胴部と開口部の接合部の他の例を示す編成図である。
【図２２】図２の開口部付き編成物の下胴部と開口部の接合部の他の例を示す編成図である。
【図２３】図２の開口部付き編成物の下胴部と開口部の接合部の他の例を示す編成図である。
【図２４】図２の開口部付き編成物の下胴部と開口部の接合部の他の例を示す編成図である。
【図２５】本発明の第２実施形態に係る紳士用パンツの（ａ）全体斜視図（ｂ）内側編地の正面図、（ｃ）外側編地の正面図である。
【図２６】図２５に示した紳士用パンツの開口部の内側編地の編成図である。
【図２７】図２５に示した紳士用パンツの開口部の内側編地の編成図である。
【図２８】図２５に示した紳士用パンツの連結部を編成する編成図である。
【図２９】図２７で編成した内側編地を後側のニードルベッドに目移しする様子を示した目移し図である。
【図３０】図２５に示した紳士用パンツの開口部の外側編地の編成図である。
【図３１】図２５に示した紳士用パンツの開口部の外側編地の編成図である。
【図３２】図２９で後側のニードルベッドに目移しした内側編地を前側のニードルベッドに戻すよう目移しする様子を示した目移し図である。
【図３３】図２５に示した紳士用パンツの連結部を編成する編成図である。
【図３４】図２５に示した紳士用パンツの内側編地の端部をガーター編みに編成するための目移し図である。
【図３５】図２５に示した紳士用パンツの開口部の内側編地の編成図である。
【図３６】図２５に示した紳士用パンツの開口部の内側編地の編成図である。
【図３７】図２５に示した紳士用パンツの内側編地の端部をガーター編みに編成するための目移し図である。
【発明を実施するための形態】
【００１５】
以下適宜図面を参照しながら、本発明の実施の形態について詳述する。尚、本発明の開口部付き編成物の編成方法、及び開口部付き編成物は、以下の実施の形態に限定されるものではない。また、内側編地編成工程及び外側編地編成工程は、開口部周辺の編成において、それぞれ内側編地及び外側編地を編成する工程のみを指し、編地の開口部左側部分や、右側部分、内側編地と外側編地との連結部を編成する工程を含まないものとする。
編成図中、左端の前、後の文字は、前側（特許請求の範囲における他側）ニードルベッド、後側（特許請求の範囲における一側）ニードルベッドを示し、各ニードルベッドの上又は下に記した英文字は編針を示す。左側上部に示した矢印は、キャリッジの進行方向、即ち編糸の給糸方向を示す。
尚、各編成図では、本発明の原理的なものを示し、編目数や編成コース数は図示されたものに限定されるものではない。
【００１６】
（第１実施形態）
図１は、本発明の第１実施形態に係る紳士用パンツ１０である。紳士用パンツ１０は、図２に示した開口部付き編成物１を切断縫製することにより形成される。開口部付き編成物１は、裾ゴム部１３と、肢部１４と、腰ゴム部１５と、中胴部１７と、下胴部１８と、上胴部１９とを備えている。開口部１６は、中胴部１７に含まれる。
【００１７】
開口部付き編成物１は、編針を進退摺動可能に収納したニードルベッドを少なくとも前後に一対備え、前後のニードルベッドの針間で目移し可能に構成された横編機（図示は省略）を用い、図３乃至図２４の編成図に示した編成方法により編成される。
【００１８】
図３及び図４は、開口部付き編成物１の編み始めとなる裾ゴム部１３をリブ編みで編成する方法を示し、図３及び図４の編成を複数コース繰り返して裾ゴム部１３を編成する。
【００１９】
次に、裾ゴム部１３の最終コースにおいて後側ニードルベッドに掛止されたループを前側のニードルベッドに移したあと、図５及び図６に示したように、前側のニードルベッドの編針に編糸を給糸して、肢部１４を天竺編みに編成する。こうして、裾ゴム部１３に連続して肢部１４が編成される。肢部１２に続けて同様に下胴部１８を編成する。
【００２０】
次に開口部１６を有する中胴部１７の編成方法について説明する。開口部１６の内側編地１１及び外側編地１２の編成方法としては、本発明の趣旨を逸脱しなければ、特に限定されず、公知の方法を適宜採用できるが、ここでは、外側編地及び内側編地を天竺編みとガーター編みにより編成する方法と、リブ編みにより編成する方法とを説明する。
【００２１】
（外側編地及び内側編地を天竺編み及びガーター編みにより編成する方法）
図７乃至図１２は、開口部付き編成物１の開口部１６を有する中胴部１７の編成方法を示している。上記の裾ゴム部１３、肢部１４及び下胴部１８は、第１のヤーンフィーダ１個のみを用いて編成するのに対し、開口部１６を有する中胴部１７は、第２のヤーンフィーダを第１のヤーンフィーダの右側に追加して編成する。
【００２２】
図７乃至図９においては、第１のヤーンフィーダにより給糸を行い、図７に示したように右方向（特許請求の範囲における一方向）から、図８に示したように、左方向（特許請求の範囲における他方向）へ引き返すようにして編針に編糸を給糸する。詳細には、図７に示したように、まず右に向かってＡからＦまで前側のニードルベッドの全針に給糸し、ＧからＳまでは、後側のニードルベッドで１針置きに給糸しながら編成を行う。続けて、後側のニードルベッドのＯ、Ｑ、Ｓの編針に掛止されたループを前側のニードルベッドの編針に移したのち、図８に示すように、給糸方向を左に引き返して、ＳからＯまでは前側のニードルベッドに１針置きに給糸し、ＭからＧまでは後側のニードルベッドに１針置きに給糸して、ＦからＡまでは前側のニードルベッドで全針に給糸する。しかる後、図９に示したように、Ｏ、Ｑ、Ｓに掛止されたループを後側のニードルベッドの編針に移す。このように、Ｓ、Ｑ、Ｏでは、右へキャリッジを摺動する際には後側のニードルベッドの編針に給糸し、左へキャリッジを引き返す際には前側のニードルベッドの編針に給糸することで、内側生地１１の端部１１ａ（図２参照）がガーター編地に編成され、ＧからＭを往復する工程により、内側編地１１の天竺編地部１１ｂ（図２参照）が編成される。また、ＡからＦまでの編針に往復しながら給糸を行う工程により、開口部１６の左側部分１７ａが天竺編みに編成される。
このように、内側編地１１を編成するＧからＳの編針のループを全て後側（一方）のニードルベッドの編針に掛止した状態で内側編地編成工程を終了し、次の外側編地編成工程に移行することで、外側編地と内側編地を内外方向に分離可能に編成することができる。
【００２３】
次に、外側編地を編成する図１０乃至図１２においては、右側の第２のヤーンフィーダにより、図１０に示したように左方向（特許請求の範囲における他方向）から、図１１に示したように、右方向（特許請求の範囲における一方向）へ引き返すようにして編針に編糸を給糸する。詳細には、図１０に示したように、まず左に向かってＺからＳまで前側のニードルベッドの全針に給糸し、ＳからＧまでは、前側のニードルベッドで１針置きに給糸しながら編成を行う。続けて、前側のニードルベッドのＧ、Ｉ、Ｋの編針に掛止されたループを後側のニードルベッドの編針に移したのち、図１１に示すように、給糸方向を左に引き返して、ＧからＫまでは後側のニードルベッドに１針置きに給糸し、ＭからＳまでは前側のニードルベッドに１針置きに給糸し、ＳからＺまでは前側のニードルベッドの全針に給糸する。しかる後、図１２に示したように、Ｇ、Ｉ、Ｋに掛止されたループを前側のニードルベッドの編針に移す。このように、Ｇ、Ｉ、Ｋでは、左へキャリッジを摺動する際には前側のニードルベッドの編針に給糸し、右へキャリッジを引き返す際には後側のニードルベッドの編針に給糸することで、ガーター編地が編成される。また、ＭからＳを往復する工程により、外側編地１２の天竺編地部１２ｂが編成される。そして、ＳからＺまでの編針に往復しながら給糸を行う工程により、開口部１６の右側部分１７ｂが編成される。また、このように、外側編地１２を編成するＧからＳの編針のループを全て前側（他方）のニードルベッドの編針に掛止した状態で、外側編地編成工程を終了し、次の内側編地編成工程に移行することで、内側編地１１と外側編地１２とを内外方向に分離可能に編成することができる。
【００２４】
（開口部のリブ編みによる編成方法）
第１実施形態において、開口部１６の内側編地１１及び外側編地１２をリブ編みにより編成することもできる。まず、内側編地１１をリブ編み編成とするには、第１のヤーンフィーダにて、図１３に示すように、右に向かって、前側のＧ、後側のＩ、前側のＫ、後側のＭ、前側のＯ、後側のＱ、前側のＳというように、前後のニードルベッドの編針に交互に、かつそれぞれのニードルベッドで３針置きに給糸を行ったのち、図１４に示すように、左に折り返して同じ針に給糸を行う。続けて、図１５に示すように、前側のニードルベッドの編針Ｋ、Ｏ、Ｓに掛止されたループを後側のニードルベッドへ移す。
【００２５】
続けて、外側編地１２をリブ編み編成とするには、第２のヤーンフィーダにて、図１６に示すように、左に向かって、前側のＴ、後側のＲ、前側のＰ、後側のＮ、前側のＬ、後側のＪ、前側のＨというように、前後のニードルベッドの編針に交互に、かつそれぞれのニードルベッドで３針置きに給糸を行ったのち、図１７に示すように、右に折り返して同じ針に給糸を行う。続けて、図１８に示すように、後側のニードルベッドの編針Ｊ、Ｎ、Ｒに掛止されたループを後側のニードルベッドへ移す。このように、内側編地や外側編地をリブ編みに編成する場合にも、内側編地編成工程から外側編地編成工程へ移る際は、当該内側編地編成工程で形成されたループを全て後側（一方）のニードルベッドに掛止した状態にし、外側編地編成工程から内側編地編成工程へ移る際は、ループを全て前側（他方）のニードルベッドに掛止した状態にすることで、内側編地と外側編地とを内外方向に分離可能に編成することができる。
【００２６】
下胴部１８と開口部１６との接合部１６ａ（図２参照）は、図１９に示すように、目移しにより、または交互に給糸することにより、前後のニードルベッドに交互にループを掛止するようにし、後側のニードルベッドに掛止されたループに内側編地１１を連結して前側のニードルベッドに掛止されたループに外側編地１２を連結させる。また、下胴部１８と開口部１６との接合部１６ａは、図２０乃至図２３に示すように、左右から一針置きに引き返し編みを行い、図２４に示すように目移しを行ったのち、続けて図７乃至図１２の開口部の編成を行うようにしてもよく、こうすることで、接合部１６ａをより丈夫にすることができる。また、開口部１６と上胴部１９の接合部１６ｂは、下胴部１８と開口部１６との接合部手順を逆に行うことにより同様に形成することができる。
【００２７】
前開き部１６を有する胴部１７の編成が終了すると、図５及び図６に示した天竺編みにより、上胴部１９を編成し、続けて図３及び図４に準じてリブ編みにより腰ゴム部１５を編成する。こうして、開口部付き編成物２０の編成が完了する。
【００２８】
開口部付き編成物１から紳士用パンツ１０を形成するには、図２に仮想線で示した切断線１４ｃで開口部付き編成物１を切断したのち、左右の肢部１４ａ及び１４ｂの両端を縫合して筒状に形成する。また左右の端部の上側部分どうしを縫合して胴部を筒状に形成する。
【００２９】
（第２実施形態）
次に、本発明の第２実施形態に係る紳士用パンツ２０について説明する。紳士用パンツ２０は、１個のヤーンフィーダのみを用いて、両肢部２１，２１及び胴部２２をそれぞれ周回編成により形成し、縫製部分を省略している。両肢部２４，２４の裾ゴム部２３，２３、及び腰ゴム部２５をリブ編みの周回編成で形成し、肢部２４，２４及び胴部２５の開口部２６より上側部分２９及び下側部分２８は、天竺編みの周回編成で形成するが、公知の方法で行うため詳細な説明は省略し、開口部２６を有する中胴部２７の編成方法のみを説明する。
【００３０】
また、紳士用パンツ２０の開口部２６の内側編地２１及び外側編地２２の編成には、天竺編みやリブ編み、パール編み等、公知の編成方法を適宜用いることができるが、その一例として、ガーター編み及び天竺編みにより編成する場合を以下説明する。
【００３１】
開口部２６の内側編地２１の編成は、まず、図２６に示したように右方向（特許請求の範囲における一方向）から、図２７に示したように、左方向（特許請求の範囲における他方向）へ引き返すようにして編針に編糸を給糸する。詳細には、図２６に示したように、まず右に向かって、前側のニードルベッドにおいて、…、Ａ、Ｃ、Ｅと１針置きに給糸し、続けてＩ、Ｍ、Ｑ、Ｕと３針置きに給糸しながら編成を行う。続けて、図２７に示すように、前側のニードルベッドにおいて、給糸方向を左に引き返して、Ｕ、Ｑ、Ｍ、Ｉと３針置きに給糸し、続けて、Ｅ、Ｃ、Ａ、…と１針置きに給糸しながら編成を行う。その後、ニードルベッドの左端部で、給糸方向を折り返して、図２８に示したように、後側のニードルベッドを用いて、図２６及び図２７の工程において編糸を掛止した、Ａ、Ｃ、Ｅ、Ｉ、Ｍ、Ｑ、Ｕの編み針を飛ばして、Ｂ、Ｄ、Ｆ、…と１針置きに給糸を行いながら、連結部２７ａを編成する。続けて、図２９に示すように、図２７で前側のニードルベッドのＩ、Ｍ、Ｑ、Ｕの編針に形成したループを、後側のニードルベッドに目移しする。
【００３２】
こうして、内側編地２１と外側編地２２の重なる部分における前側（他方）のニードルベッドの編針を空けた状態で、図３０及び図３１に示したように、外側編地２２の編成を行う。まず、図３０に示したように左方向（特許請求の範囲における他方向）から、図３１に示したように、右方向（特許請求の範囲における他方向）へ引き返すようにして編針に編糸を給糸する。詳細には、図３０に示したように、まず前側のニードルベッドで左に向かって、…、Ｙ、Ｗと１針置きに給糸し、続けてＳ、Ｏ、Ｋ、Ｇと３針置きに給糸しながら編成を行う。続けて、図３１に示すように、給糸方向を右に引き返して、前側のニードルベッドで３針置きにＧ、Ｋ、Ｏ、Ｓ、Ｗと給糸し、続けて、Ｙ、Ｚ、…と１針置きに給糸しながら編成を行う。その後、図２９で、後側のニードルベッドに回避していた内側編地のループを、図３２に示すように目移しする。こうして、後側のニードルベッドを空にした状態で、ニードルベッドの右端部で、給糸方向を折り返して、図３３に示すように、後側のニードルベッドを用いて、図３０及び図３１の工程において編糸を掛止した、Ｇ、Ｋ、Ｏ、Ｓ、Ｗ、Ｙの編み針を飛ばして、Ｚ、Ｘ、Ｖ、…と１針置きに給糸を行いながら、連結部（中胴部２７の開口部２６以外の部分）２７ａを編成する。
【００３３】
続けて、図３４では、図３２で前側のニードルベッドに掛止されたループのうち、端部２１ａを形成するループＭ、Ｑ、Ｕを後側のニードルベッドに目移しする。そして、図３５に示すように、前側のニードルベッドで右に向かってＡ，Ｃ，Ｅ，Ｉの編針に給糸し、続けて後側のニードルベッドで、Ｍ、Ｑ、Ｕの編針に給糸する。続けて、図３６に示すように給糸方向を折り返して、同じ編針に給糸を行ったのち、連結部２７ａの編成を行うため、図３７に示したように、Ｍ、Ｑ、Ｕの編針に掛止されたループを前側のニードルベッドに目移しする。図２６及び図２７の編成と、図３４乃至図３７の編成を交互に繰り返すことにより、内側編地２１の端部２１ａをガーター編地に編成する。尚、図示は省略したが、同様の目移しを行うことにより、外側編地２２の端部２２ａをガーター編みに編成することも可能である。
【００３４】
本発明の開口部付き編成物の編成方法及び開口部付き編成物は、上記の実施形態に限らず、例えば、内側編地や外側編地が天竺編みのみからなるものや、内側編地及び外側編地の端部がガーター編みに形成されるとともに他の部分がリブ編みからなるものであってもよい。開口部の形状は、上記の実施形態に示したような矩形に限らず図１（ｂ）に示したように、内側編地と外側編地の端部を不平行にして台形状にしてもよく、各端部を曲線上にすることもできる。また、開口部付き編成物は、紳士用パンツに限らず、ポケットを開口部とするカーディガン等であってもよい。上記の実施形態において、前側のニードルベッドを一側のニードルベッドとし、後側のニードルベッドを他側のニードルベッドとすることや、ニードルベッドの長手方向の一方向を左方向に、他方向を右方向にすることもできる。
【産業上の利用可能性】
【００３５】
本発明の開口部付き編成物の編成方法及び開口部付き編成物は、前後一対のニードルベッドだけで編成を行うため、少なくとも前後一対のニードルベッドを有する横編み機で行う編成方法及びかかる横編み機で編成する編地に好適に採用することができる。
【符号の説明】
【００３６】
１，２０  開口部付き編成編地
１１，２１  内側編地
１１ａ，２１ａ  端部
１２，２２  外側編地
１２ａ，２２ａ  端部
１６，２６  開口部
２７ａ  連結部
【図１】
2014040687.tif 000003
【図２】
2014040687.tif 000004
【図３】
2014040687.tif 000005
【図４】
2014040687.tif 000006
【図５】
2014040687.tif 000007
【図６】
2014040687.tif 000008
【図７】
2014040687.tif 000009
【図８】
2014040687.tif 000010
【図９】
2014040687.tif 000011
【図１０】
2014040687.tif 000012
【図１１】
2014040687.tif 000013
【図１２】
2014040687.tif 000014
【図１３】
2014040687.tif 000015
【図１４】
2014040687.tif 000016
【図１５】
2014040687.tif 000017
【図１６】
2014040687.tif 000018
【図１７】
2014040687.tif 000019
【図１８】
2014040687.tif 000020
【図１９】
2014040687.tif 000021
【図２０】
2014040687.tif 000022
【図２１】
2014040687.tif 000023
【図２２】
2014040687.tif 000024
【図２３】
2014040687.tif 000025
【図２４】
2014040687.tif 000026
【図２５】
2014040687.tif 000027
【図２６】
2014040687.tif 000028
【図２７】
2014040687.tif 000029
【図２８】
2014040687.tif 000030
【図２９】
2014040687.tif 000031
【図３０】
2014040687.tif 000032
【図３１】
2014040687.tif 000033
【図３２】
2014040687.tif 000034
【図３３】
2014040687.tif 000035
【図３４】
2014040687.tif 000036
【図３５】
2014040687.tif 000037
【図３６】
2014040687.tif 000038
【図３７】
2014040687.tif 000039